(57)【特許請求の範囲】
【請求項１】
箱型に形成された島本体を備え、該島本体の一側および他側には、遊技媒体を使用して遊技を実行可能な遊技機を複数並設可能な遊技機設置用島設備において、
前記島本体の内部には、遊技機の背部を臨ませる内側空間部を形成し、島本体の上部には、内側空間部を上方から被覆し、遊技媒体を貯留する貯留ケースが載置可能な天板ユニットを島本体に対して着脱可能な状態で備え、
該天板ユニットは、上面に貯留ケースの載置場所となるケース載置部を複数設定した天板本体と、隣り合うケース載置部の境界の上方へ向けて突設され、ケース載置部上に載置された貯留ケースに当接可能なケースストッパーと、を備え、
該ケースストッパーには、隣り合うケース載置部を連通するハンドル開口を貯留ケースより小さい大きさで貫通し、ケースストッパーのうちハンドル開口よりも上方の部分を天板ユニットの着脱操作時に把持可能なハンドル部とし、
前記天板本体のうちケースストッパーの下方に臨ませた部分には、内側空間部とハンドル開口とを連通する通気孔を開設し、
前記ケース載置部へ載置された貯留ケースをケースストッパーへ当接して、貯留ケースの底板部が通気孔の上方へ移動することを規制するように構成されたことを特徴とする遊技機設置用島設備。
【請求項２】
前記天板ユニットは、ケース載置部に貯留ケースをケースストッパーと貯留ケースの側壁との距離がハンドル開口側から天板本体側へ向かうにつれて次第に広がる姿勢で載置可能とし、貯留ケースの側壁とケースストッパーとの間に、通気孔とハンドル開口とを連通する連通空間部を形成可能としたことを特徴とする請求項１に記載の遊技機設置用島設備。
【請求項３】
前記天板ユニットは、貯留ケースの側壁から側方へ突設されたケース側ハンドルをケースストッパーへ当接してケースストッパーと貯留ケースの側壁とを離間可能とし、貯留ケースの側壁とケースストッパーとの間に、通気孔とハンドル開口とを連通する連通空間部を形成可能としたことを特徴とする請求項１または請求項２に記載の遊技機設置用島設備。
【請求項４】
前記連通空間部は、ケース側ハンドルを貫通するハンドル貫通口を介して貯留ケースの上方へ向けて開放可能としたことを特徴とする請求項３に記載の遊技機設置用島設備。
【発明の詳細な説明】
【技術分野】
【０００１】
本発明は、箱型に形成された島本体を備え、該島本体の一側および他側には、遊技媒体を使用して遊技を実行可能な遊技機を複数並設可能な遊技機設置用島設備に関する。
【背景技術】
【０００２】
遊技店において、遊技機、例えば遊技媒体としてコイン（メダル）を使用するパチスロ機は、店内に備えられた遊技機設置用島設備に複数台並べて設置されている。この遊技機設置用島設備に関しては、箱型に形成された島本体の上部に天板を備え、天板に区分壁を突設してケース載置部を区画形成してコイン箱（コインを貯留可能な貯留ケース）を載置できるように構成されたものが提案されている（例えば、特許文献１参照）。
【特許文献１】特開２００１−３４６９３４号公報
【発明の開示】
【発明が解決しようとする課題】
【０００３】
ところで、遊技機設置用島設備の内部には、パチスロ機から発生した熱が篭り易い。そこで、遊技機設置用島設備やパチスロ機の過熱による故障を抑えるために、天板に通気孔（放熱孔）を開設して熱気を遊技機設置用島設備の外方へ放出することが好ましい。しかしながら、天板に通気孔を単に開設しようとすると、ケース載置部に載置された貯留ケースにより通気孔が塞がれてしまう虞がある。
【０００４】
また、メンテナンス時に天板自体を取り外し易くするために、区分壁に貫通口を設けて取っ手を形成することが考えられる。ところが、貫通口をコイン箱よりも大きく設定した場合には、不正行為者がコイン箱を遊技者に気づかれないように貫通口を通し、遊技機設置用島設備を挟んで遊技者とは反対側へ移動してしまう虞、ひいては不正行為者にコイン箱内のコインを盗まれてしまう虞がある。
【０００５】
本発明は、上記の事情に鑑みてなされたものであり、その目的は、内部に篭った熱気を支障なく外方へ放出することができ、それだけではなく、ケース載置部上の遊技媒体の盗難を未然に防止することができる遊技機設置用島設備を提供しようとするものである。
【課題を解決するための手段】
【０００６】
本発明は、上記目的を達成するために提案されたものであり、請求項１に記載のものは、箱型に形成された島本体を備え、該島本体の一側および他側には、遊技媒体を使用して遊技を実行可能な遊技機を複数並設可能な遊技機設置用島設備において、
前記島本体の内部には、遊技機の背部を臨ませる内側空間部を形成し、島本体の上部には、内側空間部を上方から被覆し、遊技媒体を貯留する貯留ケースが載置可能な天板ユニットを島本体に対して着脱可能な状態で備え、
該天板ユニットは、上面に貯留ケースの載置場所となるケース載置部を複数設定した天板本体と、隣り合うケース載置部の境界の上方へ向けて突設され、ケース載置部上に載置された貯留ケースに当接可能なケースストッパーと、を備え、
該ケースストッパーには、隣り合うケース載置部を連通するハンドル開口を貯留ケースより小さい大きさで貫通し、ケースストッパーのうちハンドル開口よりも上方の部分を天板ユニットの着脱操作時に把持可能なハンドル部とし、
前記天板本体のうちケースストッパーの下方に臨ませた部分には、内側空間部とハンドル開口とを連通する通気孔を開設し、
前記ケース載置部へ載置された貯留ケースをケースストッパーへ当接して、貯留ケースの底板部が通気孔の上方へ移動することを規制するように構成されたことを特徴とする遊技機設置用島設備である。
【０００７】
請求項２に記載のものは、前記天板ユニットは、ケース載置部に貯留ケースをケースストッパーと貯留ケースの側壁との距離がハンドル開口側から天板本体側へ向かうにつれて次第に広がる姿勢で載置可能とし、貯留ケースの側壁とケースストッパーとの間に、通気孔とハンドル開口とを連通する連通空間部を形成可能としたことを特徴とする請求項１に記載の遊技機設置用島設備である。
【０００８】
請求項３に記載のものは、前記天板ユニットは、貯留ケースの側壁から側方へ突設されたケース側ハンドルをケースストッパーへ当接してケースストッパーと貯留ケースの側壁とを離間可能とし、貯留ケースの側壁とケースストッパーとの間に、通気孔とハンドル開口とを連通する連通空間部を形成可能としたことを特徴とする請求項１または請求項２に記載の遊技機設置用島設備である。
【０００９】
請求項４に記載のものは、前記連通空間部は、ケース側ハンドルを貫通するハンドル貫通口を介して貯留ケースの上方へ向けて開放可能としたことを特徴とする請求項３に記載の遊技機設置用島設備である。
【発明の効果】
【００１０】
本発明によれば、以下のような優れた効果を奏する。
請求項１に記載の発明によれば、箱型に形成された島本体を備え、該島本体の一側および他側には、遊技媒体を使用して遊技を実行可能な遊技機を複数並設可能な遊技機設置用島設備において、島本体の内部には、遊技機の背部を臨ませる内側空間部を形成し、島本体の上部には、内側空間部を上方から被覆し、遊技媒体を貯留する貯留ケースが載置可能な天板ユニットを島本体に対して着脱可能な状態で備え、該天板ユニットは、上面に貯留ケースの載置場所となるケース載置部を複数設定した天板本体と、隣り合うケース載置部の境界の上方へ向けて突設され、ケース載置部上に載置された貯留ケースに当接可能なケースストッパーとを備え、該ケースストッパーには、隣り合うケース載置部を連通するハンドル開口を貯留ケースより小さい大きさで貫通し、ケースストッパーのうちハンドル開口よりも上方の部分を天板ユニットの着脱操作時に把持可能なハンドル部とし、天板本体のうちケースストッパーの下方に臨ませた部分には、内側空間部とハンドル開口とを連通する通気孔を開設し、ケース載置部へ載置された貯留ケースをケースストッパーへ当接して、貯留ケースの底板部が通気孔の上方へ移動することを規制するように構成したので、通気孔の近傍に貯留ケースを載置したとしても、通気孔が貯留ケースで塞がれる虞がない。したがって、ケース載置部上の貯留ケースの有無に拘らず、内側空間部内に篭った熱気を支障なく通気孔へ通して遊技機設置用島設備の外方へ放出することができ、遊技機設置用島設備や遊技機の過熱による故障を抑えることができる。さらに、ハンドル開口に貯留ケースを通過させることを防ぎ、貯留ケースが隣り合うケース載置部へ移される不都合を阻止することができる。したがって、不正行為者によるケース載置部上の遊技媒体の盗難行為を未然に防止することができる。
【００１１】
請求項２に記載の発明によれば、天板ユニットは、ケース載置部に貯留ケースをケースストッパーと貯留ケースの側壁との距離がハンドル開口側から天板本体側へ向かうにつれて次第に広がる姿勢で載置可能とし、貯留ケースの側壁とケースストッパーとの間に、通気孔とハンドル開口とを連通する連通空間部を形成可能としたので、通気孔に連通する天板ユニット上の空間を拡大することができ、通気孔から内側空間部内の熱気を放出し易い。
【００１２】
請求項３に記載の発明によれば、天板ユニットは、貯留ケースの側壁から側方へ突設されたケース側ハンドルをケースストッパーへ当接してケースストッパーと貯留ケースの側壁とを離間可能とし、貯留ケースの側壁とケースストッパーとの間に、通気孔とハンドル開口とを連通する連通空間部を形成可能としたので、通気孔に連通する天板ユニット上の空間を一層拡大することができ、通気孔から内側空間部内の熱気をさらに放出し易い。
【００１３】
請求項４に記載の発明によれば、連通空間部は、ケース側ハンドルを貫通するハンドル貫通口を介して貯留ケースの上方へ向けて開放可能としたので、連通空間部の上方がケース側ハンドルで覆われていたとしても、連通空間部内へ移動してきた熱気を貯留ケースの上方へ迅速に放出することができる。さらに、ハンドル貫通口によりケース側ハンドルの表面に凹凸面を形成することができ、ケース側ハンドルを把持した際に滑り止めとして機能させることができる。
【発明を実施するための最良の形態】
【００１４】
以下、本発明を実施するための最良の形態を図面に基づいて説明する。図１は遊技機設置用島設備の概略斜視図である。なお、図１においては、左奥側から右手前側へ向かうにつれて順に１つずつ外装部材を取り外して遊技機設置用島設備の内部構成を露出させた状態としている。
【００１５】
遊技機設置用島設備１は、図１に示すように、複数のフレーム部材を連結して長尺な箱型に形成された島本体２を備え、該島本体２の長手方向の一側および他側には、遊技媒体としてコイン（メダル）を使用して遊技を実行可能なパチスロ機３（本発明における遊技機に相当）と、該パチスロ機３に対として設けられるコイン貸機４とを複数組並設している。具体的には、島本体２の長手方向の一側および他側に矩形状の遊技機設置開口６を島本体２の長手方向に沿って複数開設し、各遊技機設置開口６にパチスロ機３とコイン貸機４とを収容（設置）している。なお、遊技機設置開口６の下部には平板状の載置棚７を外方へ向けて延設し、該載置棚７にパチスロ機３およびコイン貸機４を載置できるように構成されている。
【００１６】
また、島本体２の内部には、パチスロ機３の背部やコイン貸機４の背部を臨ませる内側空間部９を形成し、該内側空間部９内には、複数のパチスロ機３からオーバーフローしたコインを受けるコイン受部や、該コイン受部に受けたコインを循環させてパチスロ機３やコイン貸機４の補給要求に応じて供給するコイン循環機構等（いずれも図示せず）を配置している。そして、島本体２の上部には、内側空間部９の上端となる長尺な上部開口１０を島本体２の長手方向に沿って開設し、該上部開口１０に複数の天板ユニット１２を島本体２の長手方向に沿って並べて内側空間部９を上方から被覆し、各天板ユニット１２には、コインが貯留された貯留ケース１４を載置できるように構成されている。なお、上部開口１０の縁部には、天板ユニット１２を下方から支持する天板支持部１５を突設し、天板ユニット１２が内側空間部９内に落下する不都合を阻止している（図３（ａ）参照）。
【００１７】
次に、天板ユニット１２について説明する。
天板ユニット１２は、上部開口１０に着脱可能な状態で備えられたユニットであり、図２および図３（ａ）に示すように、天板本体２１と、該天板本体２１から上方へ突設された複数のケースストッパー２２（第１ストッパー２２ａ，第２ストッパー２２ｂ）とを備えて構成されている。天板本体２１は、上部開口１０を閉成する矩形状の蓋部材であり、島本体２の長手方向に沿う長さ寸法を遊技機設置開口６の横幅よりも長く設定し、島本体２の長手方向と直交する幅寸法を島本体２の一側の遊技機設置開口６と他側の遊技機設置開口６との離間距離と略等しく設定している（図３（ａ）参照）。また、天板本体２１の上面には、貯留ケース１４の載置場所となるケース載置部２４を天板本体２１の一側寄りと他側寄り（言い換えると島本体２の長手方向の一側寄りと他側寄り）とに分けて複数設定し、ケース載置部２４が天板ユニット１２の下方に位置するパチスロ機３毎、すなわちパチスロ機３で遊技を行う遊技者毎に割り当てられるように構成されている。なお、各ケース載置部２４には、３つの貯留ケース１４を島本体２の長手方向に並べて載置できるように構成されている。
【００１８】
ケースストッパー２２は、ケース載置部２４上に載置された貯留ケース１４が他のケース載置部２４へ移動することを規制する部材であり、隣り合うケース載置部２４の境界の上方へ向けて突設されている。具体的に説明すると、天板本体２１の幅方向の中央部分、すなわち一の天板ユニット１２上で隣り合うケース載置部２４間の境界には、第１ストッパー２２ａを天板本体２１の長さ方向に延在する状態で備えている。また、天板本体２１の長さ方向の一端部（図２中、右端部）、すなわち一の天板ユニット１２上のケース載置部２４と、別個の天板ユニット１２上のケース載置部２４との境界には、第１ストッパー２２ａよりも短尺な第２ストッパー２２ｂを天板本体２１の幅方向に延在する状態で備えている。そして、ケースストッパー２２の高さを貯留ケース１４の高さと同じに設定し、ケース載置部２４上に載置された状態の貯留ケース１４の上部にケースストッパー２２の上部を当接できるように構成されている。さらに、ケースストッパー２２には、隣り合うケース載置部２４を連通する矩形状のハンドル開口２５を下端が天板本体２１の上面に位置する状態で貫通するとともに、ハンドル開口２５のサイズを貯留ケース１４よりも小さい大きさ（高さ）に設定している。また、ケースストッパー２２のうちハンドル開口２５よりも上方の部分をハンドル部２６とし、該ハンドル部２６を把持して天板ユニット１２の着脱操作を行えるように構成されている。
【００１９】
そして、天板ユニット１２は、天板本体２１のうちケースストッパー２２の下方に臨ませた部分に、内側空間部９とハンドル開口２５とを連通する複数の通気孔２８を上下方向に貫通して開設している。詳しくは、第１ストッパー２２ａの近傍においては、図３（ａ）に示すように、ハンドル開口２５およびハンドル部２６の直下からケース載置部２４寄りに外れた両側方に複数の通気孔２８を第１ストッパー２２ａに沿って列設している。第２ストッパー２２ｂの近傍においては、図３（ｂ）に示すように、ハンドル開口２５およびハンドル部２６の直下に複数の通気孔２８を第２ストッパー２２ｂに沿って列設している。なお、通気孔２８をコインよりも小さい直径で開設すれば、ケース載置部２４上の貯留ケース１４からコインがこぼれて天板本体２１の上面に落下したとしても、このコインが内側空間部９内に侵入する不都合を阻止することができて好適である。
【００２０】
また、ケース載置部２４に載置される貯留ケース１４は、図１および図３（ａ）に示すように、上面開放の有底箱状体であり、矩形状の底板部３１を備え、該底板部３１の周縁から側壁３２を立設して底板部３１を囲繞し、この底板部３１および四方の側壁３２により、当該貯留ケース１４の内部に上方が開放された貯留空間部３３を区画形成している。そして、各側壁３２を底板部３１側から上方へ向かうにつれて次第に貯留空間部３３の側方（外方）に位置する傾斜状態に設定し、各側壁３２の上端部、すなわち貯留ケース１４の上端部には、貯留ケース１４を運搬する際に運搬者（例えば遊技者）が手を掛けるためのケース側ハンドル３４を貯留空間部３３の側方へ向けて突設している。さらに、ケース側ハンドル３４の基端側の下部に窪部３５を上方へ向けて窪ませた状態で形成し、運搬者が指先を窪部３５に差し入れてケース側ハンドル３４を十分に把持して、貯留ケース１４を安定した状態で持つことができるように構成されている。
【００２１】
このような構成を備えた貯留ケース１４をケース載置部２４へ載置すると、天板ユニット１２は、天板本体２１の上面に底板部３１を横向き状態（略水平な状態）で当接し、貯留ケース１４のうち第１ストッパー２２ａに対向する側壁３２を底板部３１から上方へ向かうにつれて次第に第１ストッパー２２ａ側に位置する姿勢に設定する（図３（ａ）参照）。さらに、第２ストッパー２２ｂに対向する側壁３２を底板部３１から上方へ向かうにつれて次第に第２ストッパー２２ｂ側に位置する姿勢に設定する（図３（ｂ）参照）。
【００２２】
この状態で貯留ケース１４を第１ストッパー２２ａへ向けて移動すると、図３（ａ）に示すように、貯留ケース１４のケース側ハンドル３４が第１ストッパー２２ａのハンドル部２６へ当接して、貯留ケース１４の底板部３１が第１ストッパー２２ａの近傍の通気孔２８の上方へ移動することを規制する。また、図３（ｂ）に示すように、貯留ケース１４を第２ストッパー２２ｂへ向けて移動すると、貯留ケース１４のケース側ハンドル３４が第２ストッパー２２ｂのハンドル部２６に当接して、貯留ケース１４の底板部３１が第２ストッパー２２ｂの近傍の通気孔２８の上方へ移動することを規制する。したがって、通気孔２８の近傍に貯留ケース１４を載置したとしても、通気孔２８が貯留ケース１４で塞がれる虞がない。これにより、ケース載置部２４上の貯留ケース１４の有無に拘らず、内側空間部９内に篭った熱気（例えば、パチスロ機３の背部から発生した熱で昇温した空気）を支障なく通気孔２８へ通して遊技機設置用島設備１の外方へ放出することができ、遊技機設置用島設備１やパチスロ機３が過熱により故障する不都合を抑えることができる。さらに、ハンドル開口２５を貯留ケース１４より小さい大きさで開設しているので、ハンドル開口２５に貯留ケース１４を通過させることを防ぎ、貯留ケース１４が隣り合うケース載置部２４へ移される不都合を阻止することができる。したがって、不正行為者によるケース載置部２４上のコインの盗難行為を未然に防止することができる。
【００２３】
また、ケース側ハンドル３４を第１ストッパー２２ａのハンドル部２６に当接した状態では、天板ユニット１２は、図３（ａ）に示すように、ケース載置部２４に貯留ケース１４を第１ストッパー２２ａと側壁３２とを離間した状態、詳しくは、第１ストッパー２２ａと貯留ケース１４の側壁３２との距離がハンドル開口２５側から天板本体２１側へ向かうにつれて次第に広がる姿勢で載置する。そして、第１ストッパー２２ａと側壁３２との間に連通空間部３８を形成し、該連通空間部３８を介して通気孔２８とハンドル開口２５とを連通する。したがって、第１ストッパー２２ａの近傍に開設された通気孔２８に連通する天板ユニット１２上の空間を拡大することができ、通気孔２８から内側空間部９内の熱気を放出し易い。
【００２４】
さらに、ケース側ハンドル３４を第２ストッパー２２ｂのハンドル部２６に当接した状態では、天板ユニット１２は、図３（ｂ）に示すように、ケース載置部２４に貯留ケース１４を第２ストッパー２２ｂと側壁３２とを離間した状態、詳しくは、第２ストッパー２２ｂと貯留ケース１４の側壁３２との距離がハンドル開口２５側から天板本体２１側へ向かうにつれて次第に広がる姿勢で載置する。そして、第２ストッパー２２ｂと側壁３２との間に連通空間部３９を形成し、該連通空間部３９とハンドル開口２５とを連通する。したがって、第２ストッパー２２ｂの近傍に開設された通気孔２８に連通する天板ユニット１２上の空間を拡大することができ、通気孔２８から内側空間部９内の熱気を放出し易い。
【００２５】
ところで、上記実施形態では、第１ストッパー２２ａの近傍に形成される連通空間部３８を上方へ開放していないが、本発明はこれに限定されない。例えば、図４および図５に示す第２実施形態のように、連通空間部３８の上方に位置するケース側ハンドル３４に複数のハンドル貫通口４１を上下方向に貫通し、該ハンドル貫通口４１および窪部３５を介して連通空間部３８を上方へ開放してもよい。このようにすれば、連通空間部３８の上方がケース側ハンドル３４で覆われていたとしても、連通空間部３８内へ移動してきた熱気を貯留ケース１４の上方へ迅速に放出することができる。さらに、ハンドル貫通口４１によりケース側ハンドル３４の表裏両面に凹部を形成することができ、ケース側ハンドル３４を把持した際にこの凹部を滑り止めとして機能させることができて好適である。なお、第２実施形態においては、図４に示すように、第１ストッパー２２ａに当接し得るケース側ハンドル３４、具体的には、第１ストッパー２２ａ側に位置するケース側ハンドル３４、および貯留空間部３３を挟んで第１ストッパー２２ａとは反対側に位置するケース側ハンドル３４にのみハンドル貫通口４１を開設したが、全周のケース側ハンドル３４にハンドル貫通口４１を開設して、第２ストッパー２２ｂの近傍に形成される連通空間部３９をも上方へ開放するように構成してもよい。
【００２６】
また、上記第２実施形態では、連通空間部３８を開放するための構成をケース側ハンドル３４に備えたが、本発明はこれに限定されない。例えば、図６および図７に示す第３実施形態のように、天板ユニット１２のハンドル部２６に複数の開放口４３を上下方向へ貫通し、該開放口４３を介して連通空間部３８，３９を開放してもよい。このようにすれば、通気孔２８から連通空間部３８，３９を通ってハンドル開口２５内に到達した熱気をケースストッパー２２の上方へ迅速に放出することができる。なお、開放口４３を開設した天板ユニット１２に、ハンドル貫通口４１を開設した貯留ケース１４（第２実施形態における貯留ケース１４）を載置すれば、通気孔２８から上昇してきた熱気をケースストッパー２２の上方や貯留ケース１４の上方へ一層迅速に放出することができて好適である。
【００２７】
ところで、上記実施形態では、代表的な遊技機であるパチスロ機を収容可能な遊技機設置用島設備を例にして説明したが、本発明はこれに限定されず、箱型に形成された島本体を備え、該島本体の一側および他側には、遊技媒体を使用して遊技を実行可能な遊技機を複数並設可能な遊技機設置用島設備であればどのようなものでもよい。例えば、パチンコ遊技機を収容可能な遊技機設置用島設備であってもよい。さらに、貯留ケースにはパチンコ遊技機の遊技媒体である遊技球を貯留してもよい。
【００２８】
なお、前記した実施の形態は全ての点で例示であって制限的なものではないと考えられるべきである。本発明は、上記した説明に限らず特許請求の範囲によって示され、特許請求の範囲と均等の意味及び範囲内での全ての変更が含まれるものである。
【図面の簡単な説明】
【００２９】
【図１】遊技機設置用島設備の概略図である。
【図２】天板ユニットの斜視図である。
【図３】島本体に設けられた状態の天板ユニットの断面図であり、（ａ）は第１ストッパーの周辺の断面図、（ｂ）は第２ストッパーの周辺の断面図である。
【図４】第２実施形態における貯留ケースの斜視図である。
【図５】第２実施形態における貯留ケースを載置した天板ユニットの断面図である。
【図６】第３実施形態における天板ユニットの斜視図である。
【図７】第３実施形態における天板ユニットの断面図である。
【符号の説明】
【００３０】
１  遊技機設置用島設備
２  島本体
３  パチスロ機
６  遊技機設置開口
９  内側空間部
１０  上部開口
１２  天板ユニット
１４  貯留ケース
２１  天板本体
２２  ケースストッパー
２２ａ  第１ストッパー
２２ｂ  第２ストッパー
２４  ケース載置部
２５  ハンドル開口
２６  ハンドル部
２８  通気孔
３１  底板部
３２  側壁
３４  ケース側ハンドル
３８  連通空間部
３９  連通空間部
４１  ハンドル貫通口
４３  開放口
【図１】
0004800275.tif 000002
【図２】
0004800275.tif 000003
【図３】
0004800275.tif 000004
【図４】
0004800275.tif 000005
【図５】
0004800275.tif 000006
【図６】
0004800275.tif 000007
【図７】
0004800275.tif 000008